(57)【要約】【課題】インターネットによる法律書式提供素人による法律文書の作成を容易にし、インターネットによる法律書式提供サービスや法律相談提供サービスをより促進する。【解決手段】  インターネット３に接続されされたインターネットサーバ４が、インターネット３を介してアクセスしてきたユーザー端末２に対しファイルを送信して、法律書式の自動選択や、法律文書の自動作成を行わせる。ユーザー端末２から送信された相談申込のデータが、ライブラリサーバ５の保存部に保存される。管理用コンピュータ８が見積書作成プログラムを実行して見積書を作成し、インターネットサーバ４がユーザー端末２に送信する。【選択図】  図１
2008033969.tif 000002
【特許請求の範囲】
【請求項１】
インターネットを利用して法律文書を作成させるトータルリーガルライブラリエイドシステムであって、
インターネットに接続された送信サーバと、保存部とを備えており、
送信サーバには、インターネットを介してアクセスしてきたユーザー端末に対しファイルを送信して当該ユーザー端末に表示させる送信プログラムがインストールされており、
保存部には、送信サーバが送信プログラムを実行することにより送信されることでユーザー端末に表示されることが可能な各種ファイルが保存されており、
保存部に保存された各種ファイルには、
各種の法律書式がそれぞれ記録され、ユーザー端末において更新されることが可能な多数の書式ファイルと、
階層構造を成す多数の書式選択質問をユーザー端末に順次表示するよう各書式選択質問について付与された書式選択質問用ファイルと
が含まれており、
各書式選択質問用ファイルは、その次の下層の書式選択質問用ファイルをユーザー端末に表示するためのコマンドボタンを含んでいるとともに、前記送信プログラムは、このコマンドボタンがクリックされた際に当該次の下層の書式選択質問用ファイルを送信してユーザー端末に表示させるものとなっており、
最下層の書式選択質問用ファイルは、当該質問への返答に相当する法律書式の書式ファイルを保存部から読み出してユーザー端末に送信するためのコマンドボタンを含んでいるとともに、前記送信プログラムは、このコマンドボタンがクリックされた際に当該書式ファイルを保存部から読み出してユーザー端末に送信するものとなっており、
前記保存部に保存された各種ファイルには、最下層の書式選択質問用ファイルが表示されているユーザー端末における操作により選択された書式ファイルから法律文書を作成するための情報の入力をユーザー端末において行わせるためにユーザー端末に表示される自動作成用ファイルが含まれており、
前記保存部には、最下層の書式選択質問用ファイルが表示されているユーザー端末における操作により選択された書式ファイルと、自動作成用ファイルにより入力された情報により、法律文書を自動作成する自動作成プログラムが設けられていて、ユーザー端末における操作により実行可能となっており、
自動作成用ファイルは、選択された書式ファイルに当てはめて法律文書を完成させる情報入力欄を含んでおり、
自動作成プログラムは、情報入力欄に入力された情報を当該書式ファイルの所定箇所に設定された入力欄に組み込んで書式ファイルを更新するプログラムであるとともに、更新した書式ファイルを、当該ユーザー端末が備える保存部に保存可能とするプログラムであり、
前記保存部に保存された各種ファイルには、前記自動作成用ファイルをユーザー端末に対し送信サーバに送信させるための自動作成用コマンドボタンを表示するためのファイルが含まれており、前記送信プログラムは、自動作成用コマンドボタンがクリックされた際に前記自動作成用ファイルを送信してユーザー端末に表示させるものであり、
さらに、
前記保存部に保存された各種ファイルには、法律文書作成についての解説を内容とする文書ファイルが含まれていることを特徴とするインターネットによるトータルリーガルライブラリエイドシステム。
【発明の詳細な説明】
【技術分野】
【０００１】
本願の発明は、インターネットを利用して法律書式を提供したり法律相談サービスを提供したりする際に使用されるトータルリーガルライブラリエイドシステムに関するものである。
【背景技術】
【０００２】
インターネットをはじめとするとするネットワーク技術やＩＴ（情報技術）の進歩を背景として、各種のサービスがネットワークやＩＴを利用して提供されている。その一方、弁護士等の法律専門家によって提供される法律サービス（リーガルサービス）の提供については、専門家の高度な専門知識や専門的判断が必要なことから、ネットワークやＩＴの利用はあまり進んでいない。
【０００３】
また、会社や個人において、何からの法律文書の作成のため、一定の法律書式が必要になる場合がある。即ち、契約書等の法律文書の作成については、法律専門家である弁護士に作成を依頼する場合もあるが、最初から弁護士に依頼すると費用が高額となるため、簡単なものであるとか、一般的な書式に沿って内容を当てはめればよいだけの場合、会社内の法務担当者や個人が自分で作成することが多い。例えば雇用契約であるとか、労使協定のような協定書であるとか、交通事故に関する示談書であるとかである。この場合、作成する法律文書の書式を入手することが必要になる。
【０００４】
このような法律書式は、それらを所載した書籍やＣＤ−ＲＯＭ等の媒体が販売されているので、それらを購入して入手することになる。しかしながら、これらの書籍や媒体は膨大な量の法律書式を所載しているものの、弁護士のような専門家ではない素人にとっては、その膨大な量の法律書式の中から必要な法律書式を選び出すことは、並大抵のことではない。例えば、会社が個人と労務提供に関する契約を結ぼうと思っている場合、雇用契約の書式を参照すべきなのか、請負契約の書式を参照すべきなのかという基本的事項がわからないことがある。従って、書籍や媒体で膨大な量の法律書式が提供されるとしても、素人にとっては実際には使い勝手の悪い場合が多い。
【特許文献１】特開２００２−７４２０６号公報
【特許文献２】特開２００４−１０２８１８号公報
【特許文献３】特開平１１−３２８１１３号公報
【特許文献４】特開２００１−３３８０９７号公報
【発明の開示】
【発明が解決しようとする課題】
【０００５】
本願の発明は、上記課題を解決するものであって、インターネットによる法律書式提供を可能にして素人による法律文書の作成を容易にし、インターネットによる法律書式提供サービスや法律相談提供サービスをより促進する技術的意義を有するものである。
【課題を解決するための手段】
【０００６】
上記課題を解決するため、本願の請求項１記載の発明は、インターネットを利用して法律文書を作成させるトータルリーガルライブラリエイドシステムであって、
インターネットに接続された送信サーバと、保存部とを備えており、
送信サーバには、インターネットを介してアクセスしてきたユーザー端末に対しファイルを送信して当該ユーザー端末に表示させる送信プログラムがインストールされており、
保存部には、送信サーバが送信プログラムを実行することにより送信されることでユーザー端末に表示されることが可能な各種ファイルが保存されており、
保存部に保存された各種ファイルには、
各種の法律書式がそれぞれ記録され、ユーザー端末において更新されることが可能な多数の書式ファイルと、
階層構造を成す多数の書式選択質問をユーザー端末に順次表示するよう各書式選択質問について付与された書式選択質問用ファイルと
が含まれており、
各書式選択質問用ファイルは、その次の下層の書式選択質問用ファイルをユーザー端末に表示するためのコマンドボタンを含んでいるとともに、前記送信プログラムは、このコマンドボタンがクリックされた際に当該次の下層の書式選択質問用ファイルを送信してユーザー端末に表示させるものとなっており、
最下層の書式選択質問用ファイルは、当該質問への返答に相当する法律書式の書式ファイルを保存部から読み出してユーザー端末に送信するためのコマンドボタンを含んでいるとともに、前記送信プログラムは、このコマンドボタンがクリックされた際に当該書式ファイルを保存部から読み出してユーザー端末に送信するものとなっており、
前記保存部に保存された各種ファイルには、最下層の書式選択質問用ファイルが表示されているユーザー端末における操作により選択された書式ファイルから法律文書を作成するための情報の入力をユーザー端末において行わせるためにユーザー端末に表示される自動作成用ファイルが含まれており、
前記保存部には、最下層の書式選択質問用ファイルが表示されているユーザー端末における操作により選択された書式ファイルと、自動作成用ファイルにより入力された情報により、法律文書を自動作成する自動作成プログラムが設けられていて、ユーザー端末における操作により実行可能となっており、
自動作成用ファイルは、選択された書式ファイルに当てはめて法律文書を完成させる情報入力欄を含んでおり、
自動作成プログラムは、情報入力欄に入力された情報を当該書式ファイルの所定箇所に設定された入力欄に組み込んで書式ファイルを更新するプログラムであるとともに、更新した書式ファイルを、当該ユーザー端末が備える保存部に保存可能とするプログラムであり、
前記保存部に保存された各種ファイルには、前記自動作成用ファイルをユーザー端末に対し送信サーバに送信させるための自動作成用コマンドボタンを表示するためのファイルが含まれており、前記送信プログラムは、自動作成用コマンドボタンがクリックされた際に前記自動作成用ファイルを送信してユーザー端末に表示させるものであり、
さらに、
前記保存部に保存された各種ファイルには、法律文書作成についての解説を内容とする文書ファイルが含まれているという構成を有する。
尚、「インターネットによるトータルリーガルライブラリエイドシステム」における「インターネット」は、通常よりも広い意味であり、ネットワーク全般を意味する。また、「トータルリーガルライブラリエイドシステム」とは、法律書式の利用を支援するシステムという程度の意味である。
【発明の効果】
【０００７】
本願発明によれば、インターネットによる法律書式提供が可能で、素人による法律文書の作成が容易になる。
【発明を実施するための最良の形態】
【０００８】
次に、本願発明を実施するための最良の形態（以下、実施形態）について説明する。
まず、請求項１乃至６の各発明に対応した第一の実施形態について説明する。
実施形態のトータルリーガルライブラリエイドシステム（以下、単にシステム）は、インターネットを利用して法律書式や法律情報を提供する際に使用されるシステムである。図１は、本願発明の実施形態に係るシステムの概略構成を示す図である。図１に示すシステムは、インターネット１につながったコンピュータ群３〜８によって構成されている。ここでの「インターネット」は、上記よりも狭い通常の意味(The Internet)であり、ＴＣＰ／ＩＰで接続される公衆ネットワークを指している。
【０００９】
インターネット１には、周知のように、各種コンピュータ、携帯電話、ＰＤＡ(Personal Data Assistant)等の情報機器がつながっている。以下、説明では、このようなインターネット１につながっている情報機器を情報端末と総称する。本実施形態では、法律相談サービスの提供を欲する者（ユーザー）が、これらの情報端末を操作してシステムにアクセスすることが予定されている。ユーザーが操作する情報端末２を、以下、ユーザー端末２と呼ぶ。各ユーザー端末２は、インターネットアカウントの取得やブラウザ（閲覧ソフト）のインストールなど、インターネット１に接続し、送信されたファイルを閲覧する環境が整えられている。
【００１０】
図１に示すように、本システムは、複数のユーザー端末２とインターネット１を介してつながっているコンピュータ群３〜８によって構成されている。コンピュータ群３〜８は、ルータ３０１を含むファイアウォール３０２を介してインターネット１につながっているイントラネット（内部ネットワーク）３０３上に設けられている。
【００１１】
本実施形態のシステムにより提供されるサービスは有料サービスとなっており、利用者登録をした者のみが利用できるようになっている。サービスの利用を欲する者は、後述するように利用者登録を行って会員ＩＤとパスワードを取得する。
コンピュータ群３〜８のうちの一つは、アクセスが会員（利用者登録が済んだ者）からのものであると判断した場合にアクセスを許可する認証サーバ３となっている。
【００１２】
認証サーバ３は、サーバソフトウェアがインストールされたコンピュータである。認証サーバ３の保存部としてのハードディスクには、会員ＩＤとパスワードとをデータベース化して記録したファイルである会員マスタファイル３１が保存されている。
コンピュータ群３〜８のうちの別の一つは、インターネットサーバ４となっている。インターネットサーバ４は、マイクロソフト社のInternet Information Server(IIS)のようなインターネットサーバソフトウェアがインストールされたコンピュータであり、インターネット１を介してアクセスしてきたユーザー端末２にデータを送信する送信サーバとして機能するようになっている。インターネットサーバ４は、具体的には、ＨＴＭＬファイルを送信して表示するＷＷＷサーバの機能と、ユーザー端末２にファイルをダウンロードさせるＦＴＰサーバの機能とを実現できるものとなっている。
【００１３】
インターネットサーバソフトウェアには、ＨＴＭＬファイル４１を各情報端末に送るためのプログラムであるｈｔｔｐｄ(hyper text transfer daemon)プログラム４２や、ＦＴＰソフトウェア（不図示）が含まれている。インターネットサーバ４は、ＷＷＷサーバとして、各ユーザー端末２から送られるデータを処理するためのＣＧＩ(Common Gateway Interface)４３を備えている。
【００１４】
インターネットサーバ４は、保存部としてハードディスクを備えている。このハードディスクには、各種ＨＴＭＬファイル４１が保存されている他、ＣＧＩ４３によって実行される各種ＣＧＩプログラム４４がインストールされている。尚、ＳＳＬに対応したプロトコルであるｈｔｔｐｓが用いられることもあり、またＨＴＭＬファイルの他、ＸＭＬファイルが用いられることもある。また、ＣＧＩの他、ｊａｖａ（登録商標）、ｐｅａｒｌ、ＰＨＰ等の他の言語が用いられることもある。
【００１５】
インターネットサーバ４のハードディスクには、まず、本実施形態のシステムが提供するウェッブサイトのトップページを表示するＨＴＭＬファイルが保存されている。このトップページのＵＲＬには、このシステムを運営する法律事務所が保有するドメイン名が与えられている。トップページのＵＲＬは、検索エンジンに登録されており、「法律書式」、「法律相談」のようなキーワードでヒットするようになっている。
【００１６】
図２は、実施形態のインターネットによるトータルリーガルライブラリエイドシステムが提供するウェッブサイトのトップページの例について示した概略図である。
図２に示すように、トップページは、アクセスを許可するための認証を行う認証ページに兼用されている。即ち、トップページには、会員ＩＤの入力欄３２と、パスワードの入力欄３３が設けられている。
【００１７】
トップページには、本システムで提供されるサービスの内容を説明するためのコマンドボタン（以下、案内コマンドボタン）３４が設けられている。インターネットサーバ４のハードディスクには、本システムで提供されるサービスの内容を説明したＨＴＭＬファイルであるサービス案内ファイルが保存されている。ユーザー端末２において案内コマンドボタン３４がクリックされると、サービス案内ファイルがインターネットサーバ４により送信されてユーザー端末２に表示されるようになっている。
【００１８】
また、図１に示すように、トップページには、「ご利用お申し込み方法」についてのコマンドボタン３５が設けられている。このコマンドボタン３５は、利用者登録をしていないユーザーに対して利用者登録を行わせるためのＨＴＭＬファイル（以下、利用者登録用ファイル）を送信するものとなっている。
インターネットサーバ４のハードディスクには、利用者登録用ファイルが保存されており、利用者登録用のＣＧＩプログラムがインストールされている。利用者登録用ファイルは、氏名、住所、電子メールアドレス等の個人情報の入力欄や、利用料の支払いを行うクレジットカードの会社名やカード番号等の入力欄を有している。利用者登録用ファイルには送信コマンドが設けられており、各入力欄を正しく入力して送信コマンドをクリックすると、利用者登録用のＣＧＩプログラムが起動し、利用者登録の承認と会員マスタファイル３１へのレコードの追加が行われるようになっている。利用者登録が行われると、会員ＩＤとパスワードが発行され、電子メールにより利用者に通知されるようになっている。  
【００１９】
図２に示すように、トップページには、ログインボタン３６が設けられている。一方、インターネットサーバ４のハードディスクには、認証用のＣＧＩプログラム（以下、認証ＣＧＩ−Ｐ）がインストールされている。ログインボタンには認証ＣＧＩ−Ｐの実行コマンドが記述されており、トップページにおいて会員ＩＤ及びパスワードが入力されてログインボタン３６がクリックされると、認証ＣＧＩ−Ｐが実行されるようになっている。
認証ＣＧＩ−Ｐは、送信された会員ＩＤ及びパスワードのデータを認証サーバ３に送り、認証サーバ３に保存されたデータであるか照合させる。認証サーバ３は、ハードディス
クに保存された会員マスタファイル３１を検索し、会員ＩＤ及びパスワードが一致するレコードがあるかどうか判断し、一致するレコードがあれば、アクセスを許可してよい旨のデータをＣＧＩ４３に返す。インターネットサーバ４のハードディスクには、会員専用サイトのトップページ用のＨＴＭＬファイル（以下、会員トップ）が保存されている。このデータが返されると、認証ＣＧＩ−Ｐは、会員トップのＨＴＭＬファイルを、アクセスしてきたユーザー端末２に送って表示するようになっている。
【００２０】
図３及び図４は、会員専用サイトのトップページの一例について示した概略図である。会員トップは、上下方向に長く、スクロールボタンが設けられている。図３には会員トップの上半分が示され、図４には下半分が示されている。
図３及び図４に示すように、会員トップページは、左端に区分されたフレーム３０１を有し、ここには、本システムで会員に対し提供されるサービスを選択するためのコマンドボタンが並べて設けられている（以下、このフレームをメニューバーと呼ぶ）。メニューバー３１０は、このウェッブサイトにアクセスしている際、常時ユーザー端末２に表示されるようになっている。
【００２１】
また、図３及び図４に示すように、会員トップでは、メニューバー３１０の右側に位置するメインフレーム内にも、本システムによって提供される各種サービスがリストアップされるようになっている。
図３及び図４に示すように、本実施形態では、大きく分けて、「基本リーガルサービス」と「オプションリーガルサービス」が提供されるようになっている。そして、図３に示すように、「基本リーガルサービス」では、「書式・文例検索」のサービスと、「法律文書作成ガイド検索」のサービスと、「マニュアル検索」のサービスと、「各種税額等簡易計算ソフト検索」のサービスが提供されるようになっている。
【００２２】
図３及び図４において、各種サービスの名称をリスト表示した部分は、コマンドボタンとなっており、それぞれのサービスを提供するためのページにリンクしている。まず、「書式・文例検索」のサービスについて説明する。尚、以下の説明において、「法律書式」は、内容を当てはめて法律文書を完成させるものには限られず、いわゆる法律文例も含まれる。
「書式・文例検索」のサービスは、利用者登録したユーザーに対し、法律書式（以下に単に書式と呼ぶ場合がある）を提供するサービスであり、多数の書式の中から任意の書式を選ばせて利用させるサービスである。具体的に説明すると、本実施形態のシステムは、各種ファイルを保存した保存部を備えており、保存部には、更新可能な多数の種類の法律書式をそれぞれ記録した多数の書式ファイルが保存されている。
【００２３】
図１に示すコンピュータ群３〜８のうちの一つは、ライブラリサーバ５となっている。ライブラリサーバ５は、本実施形態のシステムにより提供される各種データを保存したものである。ライブラリサーバ５は、保存部として大容量のハードディスクを備えている。このハードディスクは、書式ファイル保存部として用いられている。書式ファイル保存部には、各法律書式がそれぞれのファイル（書式ファイル）５１として保存されているとともに、保存された書式に関するデータベースファイル（以下、書式ＤＢＦ）５２が保存されている。書式ＤＢＦ５２は、書式名称、書式ID、書式ファイル名称、書式キーワード等のフィールドからなるレコードを多数記録したファイルである。尚、書式IDは、各書式を識別するためのＩＤである。
【００２４】
図３に示すように、「書式・文例検索」と表示された部分の横には、「目次検索はこちら」のコマンドボタン（以下、書式目次検索ボタン）３６と、「事項検索はこちら」のコマンドボタン（書式事項検索ボタン）３７とが設けられている。
インターネットサーバ４のハードディスクには、書式の目次を表示するページ（以下、書式目次ページ）を表示するためのＨＴＭＬファイル（以下、書式目次ファイル）が保存されている。図３に示す書式目次検索ボタン３６がクリックされると、書式目次ファイルがユーザー端末２に送信されて書式目次ページが表示されるようになっている。
【００２５】
図５は、書式目次ページの一例を示した概略図である。図５に示すように、書式目次ファイルでは、書式のジャンルがリスト表示されている。各ジャンルの表示部分の横には、さらに細分化された書式目次を表示するためのコマンドボタン５４が設けられている。インターネットサーバ４のハードディスクには、さらに細分化された書式の目次を表示するＨＴＭＬファイルが保存されており、コマンドボタン５４のクリックによりユーザー端末２に表示されるようになっている。
【００２６】
そして、このような書式目次の表示についての階層構造は、２〜４程度の階層構造で順次表示されるようになっている。最下層の表示を行うＨＴＭＬファイルは、個々の書式の名称をリスト表示するものとなっており、各書式ファイルを表示するためのコマンドボタン（以下、書式表示ボタン）が設けられている。インターネットサーバ４のハードディスクには、ライブラリサーバ５に保存された書式をユーザー端末２に表示するためのＣＧＩプログラム（以下、書式表示ＣＧＩ−Ｐ）がインストールされている。そして、書式表示ボタンには、書式IDを引数にして書式表示ＣＧＩ−Ｐを実行する起動コマンドが記述されている。書式表示ＣＧＩ−Ｐは、書式IDを検索キーにして書式ＤＢＦ５２を検索し、書式ファイル名称を取得した後、この名称の書式ファイル５１をライブラリサーバ５からユーザー端末２に送信して表示するようプログラミングされている。
【００２７】
一方、図３において、書式事項検索ボタン３７は、任意の書式を事項検索（キーワード検索）によって選ばせるためのボタンである。インターネットサーバ４のハードディスクには、事項検索のために必要な情報を入力させるページ（以下、書式事項入力ページ）を表示するためのＨＴＭＬファイル（以下、書式事項入力ページファイル）が設けられている。書式事項検索ボタン３７がクリックされると、書式事項入力ページファイルがユーザー端末２に送信されて書式事項入力ページが表示されるようになっている。
【００２８】
図６は、書式事項入力ページの一例について示した概略図である。図６に示すように、書式事項入力ページには、書式事項（書式に関するキーワード）をテキスト入力する欄（以下、事項入力欄）５５と、「検索」のコマンドボタン（以下、検索ボタン）５６が設けられている。インターネットサーバ４のハードディスクには、書式ＤＢＦ５２を検索して該当する書式の名称をリスト表示するＣＧＩプログラム（以下、書式事項検索ＣＧＩ−Ｐ）がインストールされており、図５に示す検索ボタン５６には、書式事項検索ＣＧＩ−Ｐの起動コマンドが記述されている。書式事項検索ＣＧＩ−Ｐは、事項入力欄５５に入力されたテキストデータを検索キーにして、書式ＤＢＦ５２の書式キーワードのフィールドを検索し、一致するレコードの書式名称がリスト表示するようになっている。多数の書式の中から任意の書式を選択させるには、階層構造を取ることが好適であり、検索の結果として書式のジャンルをリスト表示する場合がある。この場合、いずれかのジャンルを選択させ、そのジャンルに属する書式の書式名称をリスト表示する構成が採用される。
【００２９】
書式名称がリスト表示された画面において、各書式名称を表示した部分が各書式を表示するためのコマンドボタンになっているか、または別途コマンドボタンが設けられている。これらコマンドボタンのいずれかをクリックすることにより、リストから任意の書式を選んでユーザー端末２に表示できるようになっている。
尚、ユーザー端末２に送信されて表示される書式ファイルは、自由に更新が可能なものとなっている。書式ファイルの形式としては、マイクロソフト社のワード文書のようなポピュラーなものとすることが好ましい。または、テンプレート形式のように、利用者の側で入力する必要がある欄のみが変更可能であり、その他の様式等は変更できない形式としてもよい。尚、書式ファイルがユーザー端末２に送信されて表示される際、書式IDの情報が併せてユーザー端末２に送信されるようになっている。書式IDは、書式ファイルに埋め込んで表示するようにしてもよいし、書式検索の結果をリスト表示する際に併せて表示するようにしてもよい。
【００３０】
また、ユーザー端末２に直接表示せず、ユーザー端末２にダウンロードしてから利用することも可能であり、ファイルを「開く」のか「ダウンロードする」のか、ユーザーが選択できるようになっている。このための構成は、Ｗｉｎｄｏｗｓ（登録商標）のような汎用ＯＳに付属した機能であるので、説明は省略する。
本実施形態のシステムの大きな特徴点の一つは、ユーザーに対しＱ＆Ａ方式により任意の法律書式を選択させることができるようになっている点である。即ち、Ｑ＆Ａ方式により任意の法律書式を選択させる書式選択サーバが設けられている。書式選択サーバとしては、インターネットサーバ４が兼用されている。
【００３１】
本実施形態では、法律書式として契約書をＱ＆Ａ方式で選択させるようになっているが、契約書以外の法律書式や法律文例をＱ＆Ａ方式で選択させることも可能である。また、本実施形態のシステムでは、最上位の質問文をユーザー端末２に送って返信させる前に、契約書のジャンルを選択させるようになっている。
尚、ジャンルを予め選択せずにＱ＆Ａのみで書式を選択させることも可能である。図７に、「どの契約書式に該当するかわからない場合は・・・・」と題されたコマンドボタンがあるが、このコマンドボタンは、ジャンルを選択せずに書式を選択させる場合に使用されるものとなっている。
【００３２】
以下、Ｑ＆Ａ方式による契約書式の選択のための構成について説明する。
図３に示すように、メニューバー３１０内には、「契約書式自動検索」と表記されたコマンドボタン（以下、自動選択ボタン）３１１が設けられている。この場合の自動選択とは、Ｑ＆Ａを繰り返すことにより、ユーザーが所望の契約書式にたどり着くという意味である。一方、インターネットサーバ４の保存部には、ジャンルを選択させる書式ジャンル選択用オブジェクトが保存されている。このオブジェクトは、一つのＨＴＭＬファイルであり、書式ジャンル選択ページを表示するものとなっている。
【００３３】
尚、本実施形態の説明において、「オブジェクト」とは、コンピュータによって操作されるソフトウェア（プログラム、又はデータとプログラムの結合）であり、ある機能を実現するモジュールを広く意味している。従って、オブジェクトは、インターネットサーバ４によって送信されるファイルの場合もあるし、特定のファイル内に含まれるある要素（コマンドボタン等）の場合もある。前述した利用者登録用ファイルや書式目次ファイル等も、オブジェクトの一種であるということができる。
【００３４】
図７は、書式ジャンル選択ページの一例を示す図である。
図７に示すように、書式ジャンル選択ページには、「売買契約」、「賃貸契約」、「使用貸借契約」、・・・という表示がされている。これらの部分は、コマンドボタン３１２になっており、表示されたジャンルの契約書式を選択させるＱ＆Ａを表示するためのコマンドが埋め込まれている。以下、このコマンドをジャンル選択ボタンと呼ぶ。
インターネットサーバ４の保存部には、契約書式を選択させるための質問をユーザー端末２に表示するオブジェクト（以下、書式選択質問用オブジェクト）が保存されている。この書式選択質問用オブジェクトは、本実施形態では、質問が組み込まれたＨＴＭＬファイルになっており、質問を含んだ一つのウェッブページを表示するものとなっている。このウェッブページを、以下、質問ページと呼ぶ。本実施形態では、以下に説明するように、多数の質問が階層構造を持って設けられている。従って、書式選択質問用オブジェクトも、階層構造を成して多数設けられ、保存部に保存されている。
【００３５】
図８は、質問ページの一例を示す概略図である。この図８に示す例では、図７において、「売買契約」のジャンル選択ボタン３１２がクリックされた場合を示している。即ち、「売買契約」のジャンル選択ボタン３１２には、この図８に示す質問ページのＨＴＭＬファイルを保存部から読み出してインターネットサーバ４により送信させるプログラムが埋め込まれている。より端的な一例として説明すれば、ジャンル選択ボタン３１２には、図３に示す質問ページへのリンクが設定されている。
図８に示すように、この質問ページでは、「売買契約ですか」という質問と、「売買契約至るまでの約束に関する書式ですか」との質問が表示されるようになっている。各表示部分は、次の下層の質問を表示するためのコマンドボタン（以下、下層質問表示ボタン）３１３となっている。
【００３６】
図８において、任意の下層質問ボタンをクリックすると、その質問の下層の質問が保存部から読み出されて送信され、ユーザー端末２に表示されるようになっている。図９は、さらに下層の質問を表示する質問ページの一例を示している。図９に示す例は、図８において、「売買契約ですか」の下層質問表示ボタン３１３がクリックされた場合を示している。即ち、「売買契約ですか」の下層質問表示ボタン３１３には、この図９に示す質問ページのＨＴＭＬファイルを保存部から読み出してインターネットサーバ４に送信させるプログラムが埋め込まれている。より端的な一例として説明すれば、下層質問表示ボタン３１３には、図９に示す質問ページへのリンクが設定されている。
【００３７】
図９に示すように、この質問ページでは、「不動産の売買ですか」という下層質問表示と、「不動産以外の売買ですか」という下層質問表示ボタン３１３が設けられている。そして、いずれかの下層質問表示ボタン３１３がクリックされると、さらにその下層の質問を表示する質問ページがインターネットサーバ４から送信されてユーザー端末２に表示されるようになっている。
図１０は、図８及び図９に一例を示した「売買契約」のジャンルの質問の階層構造の一部を示す概略図である。図１０に示すように、最下層の質問に対応して、書式ＩＤが付与されている。図８や図９では示されていないが、最下層の質問を表示する質問ページでは、質問の部分はコマンドボタンになっておらず、その代わりに「ダウンロード」のコマンドボタンが設けられている。例えば、「買主が買い受ける意思を表明する場合ですか。」という質問を表示する質問ページでは、その表示は単なるテキスト表示となっており、その横に「ダウンロード」のコマンドボタンが設けられている。ダウンロードのコマンドボタンがクリックされると、書式ＩＤが１−１−１−１である、「買い受け申込書」の書式ファイルがユーザー端末２に送信されるようになっている。
【００３８】
また、本実施形態のシステムには、ユーザーによる法律書式への情報入力に従って法律文書を自動作成する自動作成サーバが設けられている。この自動作成サーバも、インターネットサーバ４によって兼用されている。
インターネットサーバ４の保存部には、法律書式の各々について自動作成用オブジェクトが保存されている。自動作成用オブジェクトは、ユーザー端末２からの操作により保存部から読み出され、インターネットサーバ４によりユーザー端末２に送信されるようになっている。
インターネットサーバ４の保存部には、自動作成用オブジェクトを読み出して送信させるためのオブジェクト（以下、送信用オブジェクト）が保存されている。この送信用オブジェクトは、一つの法律書式が特定された際、ユーザー端末２が操作することが可能となっている。即ち、送信用オブジェクトは、上述した最下層の質問を表示する質問ページに組み込まれてインターネットサーバ４から送信されるようになっている。尚、書式の自動選択に自動作成を組み合わせる場合の他、前述した「目次検索」や「事項検索」で書式ファイルを特定して自動作成を行うようにしても良い。この場合、それらで書式をダウンロードさせるコマンドボタンに並べて送信用オブジェクトが設けられる。
【００３９】
例示する図を用いて詳しく説明する。図１１は、自動作成用オブジェクトを送信させる際に表示される質問ページの一例を示す概略図である。図１１は、図７において、「金銭消費貸借契約」のジャンルが選択された際の最下層の質問ページの一例を示している。図１１には、「弁済の方法の変更に関する契約ですか。」の質問の欄に、「ダウンロード」のコマンドボタン３１４と、「自動作成」のコマンドボタン３１５が設けられている。この「自動作成」のコマンドボタン３１５が、送信用オブジェクトである。
尚、「ダウンロード」のコマンドボタン３１４が、前述した書式ファイルをユーザー端末２に送信するコマンドボタンである。この例からわかるように、最下層の書式選択質問用オブジェクトは、テキスト表示（データ）とコマンドボタン３１４とから成っている。図８や図９に示す書式選択質問用オブジェクトでもこのような構成を採用してもよく、例えば、質問文をテキスト表示にしておき、それに組み合わせて、「Ｙｅｓ」と題されたコマンドボタンを設けてもよい。
【００４０】
図１２は、自動作成用オブジェクトの一例を示す図である。本実施形態では、自動作成用オブジェクトは、メインフレームにはめ込まれて表示されるＨＴＭＬファイルとなっている。図１２の例は、図１１中の「自動作成」のコマンドボタン３１５がクリックされた場合に表示されるものであり、「弁済方法変更契約書」を自動作成するオブジェクトになっている。
図１２に示すように、自動作成用オブジェクトは、法律書式に当てはめて法律文書を完成させる情報の入力欄と、ファイル更新を指示する更新指示用オブジェクトとを有する。この例では、貸主の情報入力欄、借主の情報入力欄、弁済方法の変更に関する情報入力欄（不図示）が設けられており、最下欄に、「文書作成」のコマンドボタン３１６が設けられている。このコマンドボタン３１６は、更新指示用オブジェクトに相当するものである。
【００４１】
「文書作成」のコマンドボタン３１６には、弁済方法変更契約書を自動作成するプログラム（自動作成プログラム）の起動コマンドが記述されている。自動作成プログラムは、保存部（例えばインターネットサーバ４）に保存されており、「文書作成」のコマンドボタン３１６により実行されるようになっている。自動作成プログラムは、各入力欄の入力データを取得し、各入力欄が正しく入力されたかどうかを判断するデータ取得モジュールと、正しく入力されている場合に、各入力欄のデータを書式ファイルの該当箇所に組み込む組み込みモジュールと、入力情報を組み込んだ契約書のファイルを更新する更新モジュールとを有する。ここでの「モジュール」とは、プログラムの要素という意味である。尚、更新を行うモジュールは、更新したファイルの保存場所（任意のフォルダ等）をユーザー端末２において指定させるようになっている。
【００４２】
上記構成において、自動作成用オブジェクトの送信用オブジェクトは、書式ファイル内に設けるか、書式ファイルとともにユーザー端末に送信するようにしても良い。書式ファイル内に設ける場合、書式ファイルは、ＨＴＭＬファイルのような形式になるので、更新したものをユーザー端末２において保存する場合、送信用オブジェクトを自動的に削除して、汎用文書ファイルの形式（テキストファイルやワード文書ファイル等）で保存するプログラムを別途提供するようにする。書式ファイルとともに送信する場合、その書式ファイルを表示するメインフレームとは別のフレームにおいて送信用オブジェクトが表示されるようにする。
【００４３】
次に、図３に戻り、「法律文書作成ガイド」のサービスについて説明する。このサービスは、法律文書作成に際しての説明文書をユーザーに提供するサービスである。契約書や内容証明といった法律文書の作成に際して、どのような点を注意すべきか等について解説した文書ファイル（以下、作成ガイドファイル）を送信するサービスである。作成ガイドファイル５０１はＰＤＦ等の形式であり、ライブラリサーバ５の保存部としてのハードディスクに保存されている。インターネットサーバ４は、アクセスが許可されたユーザー端末２からの要求に従って文書ファイルを送信するようになっている。
【００４４】
インターネットサーバ４のハードディスクには、ライブラリサーバ５に保存された作成ガイドファイル５０１のジャンル（目次）をリスト表示するページ（以下、ガイドジャンルページ）のためのファイル（以下、ガイドジャンルファイル）が保存されており、また、多数の作成ガイドファイルの中から任意の作成ガイドファイルを選択させるためのページを表示するファイル（ガイド選択ファイル）がＨＴＭＬ形式で保存されている。
【００４５】
メニューバー３１０内の「法律文書作成ガイド」のコマンドボタン又は、図３に示す会員トップページの「法律文書作成ガイドの検索」のコマンドボタン（以下、ガイドボタン）３８がクリックされると、インターネットサーバ４がガイドジャンルファイルを送信し、ガイドジャンルファイルがユーザー端末２に表示されるようになっている。ガイドジャンルページは、リスト表示されたジャンルの中から任意のもの選択させるコマンドボタンを有しており、コマンドボタンがクリックされると、選択されたジャンルのガイド選択ファイルが送信されてユーザー端末２に表示されるようになっている。ガイド選択ファイルは、当該ジャンルにつきライブラリサーバ５に保存されているすべての作成ガイドファイルをリスト表示しており、任意の作成ガイドファイルを選択するコマンドボタンを有している。いずれかのコマンドボタンがクリックされると、その作成ガイドファイルがライブラリサーバ５から呼び出されて、ユーザー端末２に送信されるようリンクが設定されている。
【００４６】
次に、図３に示す「マニュアル検索」のサービスについて説明する。「マニュアル」のサービスは、各種法律業務に関するマニュアルを閲覧させるサービスである。ここでのマニュアルとは、法律業務に関して解説した文書ファイル（以下、マニュアルファイル）であり、閲覧のみが可能な形式（例えばＰＤＦ形式）のファイルとなっている。ライブラリサーバ５のハードディスクには、それぞれのジャンル毎に多数のマニュアルファイル５０２が保存されている。
【００４７】
図３に示すように、「マニュアル検索」の欄にも、「目次検索」のコマンドボタン３９と、「事項検索」のコマンドボタン４４が設けられている。各コマンドボタン３９，４４やそれに関連付けられたＨＴＭＬファイル等は、上述した「書式・文例検索」のサービスの場合と基本的に同じであるので、説明は省略する。
次に、「各種税額等簡易計算ソフト検索」のサービスについて説明する。このサービスは、相続税、所得税、法人税といった各種税額等について計算するための簡易なソフトウェア（以下、簡易計算ソフト）をサイト上で提供し、ユーザーの便宜を図るものである。ライブラリサーバ５には、簡易計算ソフトのファイル（以下、計算ソフトファイル）５０３が多数保存されている。
【００４８】
図３に示すように、「各種税額等簡易計算ソフト検索」の欄には、「各種税額等簡易計算ソフト検索の目次」のコマンドボタン（以下、ソフト検索目次ボタン）４５が設けられている。そして、インターネットサーバ４には、簡易計算ソフトのジャンルを表示するためのＨＴＭＬファイルや簡易計算ソフトを選択させるためのＨＴＭＬファイルが設けられている。これらの構成や動作は、「法律文書作成ガイド検索」のサービスの場合と基本的に同じであるので、説明は省略する。
【００４９】
次に、図４にリスト表示された「オプションリーガルサービス」について説明する。「オプションリーガルサービス」は、図４に示すように、大まかには「法律・税務相談システム」のサービスと「法令、判例、文献」のサービスに分かれている。
「法律・税務相談システム」のサービスは、法律や税務に関する相談をネットワークを利用して受け付けるサービスである。特に、本実施形態では、法律文書作成に関する相談を受け付けるものとなっている。
【００５０】
インターネットサーバ４の保存部には、文書作成について相談を申し込むための文書作成相談用オブジェクトが保存されている。一方、図４に示すように、会員トップには、「法律文書作成相談システム」の表示があり、その下に、「相談フォームはこちら」コマンドボタン（以下、文書作成相談ボタン）４６が設けられている。文書作成相談用オブジェクトは、文書作成に関して相談をする場合の申し込みフォーム（以下、文書作成相談フォーム）のＨＴＭＬファイル（以下、文書作成相談フォームファイル）を含んでいる。図４において、文書作成相談ボタン４６がクリックされると、文書作成相談フォームファイルがユーザー端末２に送信されて文書作成相談フォームが表示されるようになっている。尚、メニューバー３１０の「各種相談システム」と表示された部分の下の「文書作成」のコマンドボタンもコマンドボタン４６と同様に文章作成相談フォームを表示するものとなっている。
【００５１】
図１３は、文書作成相談フォームの一例について示した概略図である。図１３に示すように、文書作成相談フォームでは、会員ＩＤの入力欄６２、会員名称の入力欄６３、メールアドレスの入力欄６４、書式IDの入力欄６５、相談内容の入力欄６６等が設けられている。書式ＩＤの入力欄６５は、前述したように書式ファイルの送信の際に併せて書式IDが送信されるので、その番号を入力する。会員ＩＤや会員名については、ログインした際のデータを保持していてそのデータを自動的に入力するようにプログラミングされる場合もある。
【００５２】
また、書式ＩＤの入力欄６５については、書式ファイルのダウンロードの際にデータを記憶しておき、これを利用して自動入力するようにしても良い。例えば、その会員ＩＤが直近にダウンロードした書式ファイルの書式ＩＤをインターネットサーバ４等の保存部又はユーザー端末２の保存部に一時的に保存しておき、文書作成相談フォームが送信されて表示された際、自動的にくみこまれるよう、コマンドボタン４６をプログラミングしておく。
【００５３】
図１に示すコンピュータ群３〜８のうちの一つは、ユーザー端末２から送られた各相談内容を保存しておくストレージサーバ６となっている。図１３に示す各入力欄６２〜６６が入力されて確認ボタン６７がクリックされると、各入力欄６２〜６７に入力されたデータが送信されるようになっている。その際、その送信（相談申し込み）についてのＩＤ（相談ＩＤ）が自動的に付与され、入力された情報が相談ＩＤとともに相談データベースファイル（ＤＢＦ）６１としてストレージサーバ６のハードディスクに保存されるようになっている。
【００５４】
また、図４に示すように、会員トップには、「一般相談システム」の表示の下に、「相談フォームはこちら」と題されたコマンドボタン（以下、一般相談ボタン）４７が設けられている。インターネットサーバ４のハードディスクには、文書作成以外の一般的な事項に関して相談をする場合の申し込みフォーム（以下、一般相談フォーム）のＨＴＭＬファイル（以下、文書作成相談フォームファイル）が保存されている。一般相談フォームは、書式IDの入力欄６５が無いことを除き、図１３に示す文書作成相談フォームと基本的に同じであるので、図示及び説明は省略する。一般相談フォームにおいても、各入力欄が入力されて確認ボタン６７がクリックされると、相談ＩＤが自動付与され、ストレージサーバ６に新しいレコードとして保存される。
【００５５】
本実施形態のシステムの大きな特徴点の一つは、文書作成相談や一般相談の申込が上記の通りあった際、送信されたデータを利用して見積書を作成し、インターネットサーバ４によって送信するようになっている点である。以下、この点について説明する。
本実施形態のシステムは、管理用コンピュータ８を備えている。この管理用コンピュータ８は、見積書作成用コンピュータとしても使用されるようになっている。管理用コンピュータ８は、図１に示すように、イントラネット３０３上に設けられており、ストレージサーバ７にアクセスすることが可能となっている。管理用コンピュータ８には、見積書作成プログラムがインストールされている。
【００５６】
本実施形態における見積もりは、相談に要する弁護士費用の時間単価と相談に要すると予想される時間数とを掛け合わされて算出されるものである。管理用コンピュータ８が備える保存部には、予想される時間数を入力するためのフォームファイル（以下、時間数入力フォームファイル）と、弁護士費用の時間単価の情報が保存されている。
また、インターネットサーバ４の保存部には、見積書のフォームファイルと、見積書作成依頼用オブジェクトが保存されている。見積書作成依頼用オブジェクトは、ユーザー端末２から見積書の作成依頼を送信させるためのオブジェクトである。本実施形態では、上述した相談申込がされた場合、一律に見積書を作成して送信するようになっており、本システムの利用方法を解説したウェッブページはその旨が表示するようになっている。従って、図１３における確認ボタン６７（相談申込を行うボタン）が、見積書作成依頼用オブジェクトとなっている。
【００５７】
見積書作成プログラムは、ユーザー端末２から見積書作成依頼が送信された際、法律書式の名称と送信された相談内容に関する情報とを時間入力用フォームファイルにはめ込んで管理用コンピュータ８に表示するフォーム表示モジュールと、表示された時間入力用フォームファイルの時間数入力欄に入力された時間数と保存部に保存された時間単価とを掛け合わせる演算を行って見積もり金額を算出する算出モジュールと、算出された見積もり金額を保存部から読み出された見積書のフォームファイルにはめ込んで見積書を作成する見積書作成モジュールと、作成した見積書をユーザー端末２に対してインターネットサーバ４に送信させる送信モジュールとを有する。
【００５８】
図１４は、見積書作成プログラムの表示モジュールによって表示された時間入力用フォームの一例を示した図である。管理用コンピュータ８には、ストレージサーバ６の相談ＤＢＦ６１の管理用のプログラムがインストールされている。見積書作成プログラムは、この管理用のプログラム（以下、相談管理プログラム）の一部として設けられている。
相談管理プログラムは、相談ＤＢＦ６１にアクセスし、すべてのレコード（又は任意の条件で選んだレコード）をリスト表示できるようになっている。このリスト表示には、任意のレコード（相談）について見積書作成プログラムを起動できるようになっている。見積書作成プログラムが起動すると、最初に表示モジュールが実行され、相談ＤＢＦ６１の当該レコードの各フィールドのデータを時間入力用フォームファイルにはめ込み、図１４に示すように表示するようになっている。
【００５９】
図１４に示すように、時間入力用フォームは、時間入力欄８１を有する。この時間入力欄８１は数字のみを入力する欄であり、ここに数値が入力されると、入力された数値に時間単価を掛け合わせ、「金額」の欄８２にその数値を表示するようプログラム（算出モジュール）が記述されている。
図１４に示すように、時間入力用フォームには、「登録」のボタン８３と、「送信」のボタン８４とが設けられている。「登録」のボタン８３には、ストレージサーバ６の相談ＤＢＦ６１のレコードを更新するプログラムが記述されている。相談ＤＢＦ６１には、「見積金額」のフィールがあり、このボタンがクリックされると、相談ＤＢＦの当該レコードの「見積金額」のフィールドに、算出した金額の数値を入力し、レコードを更新するようプログラミングされている。
【００６０】
「送信」のボタン８４には、送信モジュールが記述されている。この実施形態では、サイトからのダウンロードの形で見積書を送信するようになっている。即ち、送信モジュールが起動すると、インターネットサーバ４の保存部内の所定の場所の情報としてＵＲＬを自動作成し、このＵＲＬの場所に、作成した見積書を保存するようになっている。そして、相談ＤＢＦ６１に登録されたメールアドレスにこのＵＲＬを送信するようになっている
。このメールアドレスは、通常、その相談申込を送信してきたユーザー端末２である。ＵＲＬはメール本文に記載されるが、メールソフトのハイパーリンク機能により、そのＵＲＬの表示部分をクリックすることで見積書がユーザー端末２にダウンロードされる。
尚、管理用コンピュータ８を操作して時間入力欄８１への入力を行う者は、所要時間が予想できる者であるので、弁護士の場合が多いが、弁護士でなくともそのような予想ができる者が入力する場合もある。  
【００６１】
見積書は、サイトからのダウンロード以外の方法でもユーザーに送付することが可能である。電子メールの添付ファイルの形で送っても良いし、ＣＤ−ＲＯＭや各種メモリ媒体に保存して郵送で送っても良い。
本実施形態のシステムの別の大きな特徴点は、見積書を受信したユーザーが、相談の正式な申込をインターネットを介して行えるようになっている点である。即ち、システムが備える保存部（例えばインターネットサーバ４の保存部）には、相談正式申込用オブジェクトが保存されている。
【００６２】
相談正式申込用オブジェクトは、本実施形態では、見積書の送信時に同時にインターネットサーバ４から送信されてユーザー端末２に表示されるものとなっている。より具体的には、相談正式申込用オブジェクトは、見積書に組み込まれてユーザー端末２に表示されるようになっている。例示的な図を使用して、より具体的に説明する。
図１５は、見積書作成プログラムにより作成された見積書の一例を示す概略図である。図１５に示すように、見積書には、宛名、件名、金額等の情報が表示されるようになっている。そして、見積書の最下欄には、「承諾する」のボタン（以下、承諾ボタン）８５が設けられている。この承諾ボタン８５が、相談正式申込用オブジェクトに相当している。
【００６３】
承諾ボタン８５がクリックされると、見積書の内容に承諾した旨を意味するデータがインターネットサーバ４に送られるようになっている。インターネットサーバ４は、ＣＧＩを介してストレージサーバ６にこのデータを送り、相談ＤＢＦ６１の当該レコードに登録するようになっている。即ち、承諾ボタン８５には、相談ＤＢＦ６１へのデータ登録のためのＣＧＩプログラムの起動コマンドが埋め込まれている。
一方、イントラネット３０３上には、法律相談業務を担当する弁護士が操作する端末（以下、担当者端末）が担当者毎に設けられている。担当者端末７は、ストレージサーバ６に対してアクセスすることが許されており、本システムを運営する法律事務所に所属する弁護士（又はその秘書など）が、トリガーメールを受け取ったことによりアクセスすることが想定されている。相談を担当する弁護士は、定期的に担当者端末を操作してストレージサーバ６にアクセスし、各相談に関する情報を取得し、検討する。そして、相談をしてきた利用者に対し、相談内容に対する回答を電子メールや電話等により伝え、相談サービスを提供する。
【００６４】
尚、上述した相談正式申込用オブジェクトは、見積書の送信とともに同時に送信する場合の他、その後に送信しても良い。例えば、見積書のみを電子メールで（本文又は添付ファイル）で送信しておき、その後に、その見積書の内容でＯＫかどうかを別の電子メールで問い合わせる構成が考えられる。その場合には、その別の電子メールに、ＯＫの場合のアクセス先であるＵＲＬを記述しておき、ハイパーリンク機能でアクセスさせて正式申込を行わせる構成が考えられる。この場合は、記述されたＵＲＬが相談正式申込用オブジェクトということになる。
【００６５】
尚、本実施形態のシステムを利用した法律相談サービスは、テレビ会議システムを用いて好適に提供することができる。ユーザーがテレビ会議システムを希望する場合、図１４等にある「相談方法」は、「テレビ会議」とされる。この場合のテレビ会議とは、音声と映像とを同時に交信することができる通信システムのことである。
次に、図４に戻り、「法令、判例、文献」のサービスについて説明する。このサービスは、図４に示すように、「法令、判例、文献ネット検索システム」のサービスと、「法令、判例、文献調査サービスシステム」に分かれている。
【００６６】
このうち、「法令、判例、文献ネット検索システム」のサービスは、法令、判例、文献のそれぞれについて、ネットワークを利用した検索サービスを提供するものである。本実施形態では、外部のサーバを利用してこれらサービスを提供するようになっている。具体的に説明すると、図４に示すように、会員トップには、「法令ネット検索システム」のコマンドボタン（以下、法令検索ボタン）４８と、「判例ネット検索システム」のコマンドボタン（以下、判例検索ボタン）４９と、「文献ネット検索システム」のコマンドボタン５２（以下、文献検索ボタン）とが設けられている。
【００６７】
法令検索ボタン４８は、外部のサーバ（法令サーバ）１０２へのリンクボタンとなっている。法令サーバ１０２は、法令の内容を記録した多数の法令ファイルのうち任意の法令ファイルを選択させてネットワークを介して情報端末に送信して表示させることが可能なサーバである。法令検索ボタン４８がクリックされると、法令サーバ１０２が提供する法令検索ページにユーザー端末２に送信され表示されるようになっており、法令検索ページから法令を検索し、任意の法令ファイルを表示したり、ダウンロードしたりすることができるようになっている。
【００６８】
判例検索ボタン４９も、外部のサーバ（判例サーバ）１０１へのリンクボタンとなっている。判例サーバ１０１は、判例の内容を記録した多数の判例ファイルのうち任意の判例ファイルを選択させてネットワークを介して情報端末に送信して表示させることが可能なサーバである。判例検索ボタン４９がクリックされると、判例サーバ１０１が提供する判例検索ページにユーザー端末２に送信され表示されるようになっており、判例検索ページから判例を検索し、任意の判例（又はそのダイジェスト）のファイルを表示したり、ダウンロードしたりすることができるようになっている。
【００６９】
文献検索ボタン５２も、外部のサーバ（文献サーバ）１０３へのリンクボタンとなっている。文献サーバ１０３は、法律文献の内容を記録した多数の法律文献ファイルのうち任意の法律文献ファイルを選択させてネットワークを介して情報端末に送信して表示させることが可能なサーバである。文献検索ボタン５２がクリックされると、判例サーバ１０３が提供する文献検索ページにユーザー端末２に送信され表示されるようになっており、文献検索ページから文献を検索し、任意の法律文献（又はそのダイジェスト）のファイルを表示したり、ダウンロードしたりすることができるようになっている。
【００７０】
次に、図４に示す「法令、判例、文献調査サービスシステム」について説明する。このサービスは、法令、判例、文献の調査に関して相談を受け付けるサービスである。具体的には、調査の仕方や検索式の立て方などについてアドバイスを行う。図４に示すように、会員トップには、「法令、判例、文献調査サービスシステム」のコマンドボタン５３が設けられている。このコマンドボタン５３は、法令、判例、文献の調査に関して相談する相談フォーム（以下、調査相談フォーム）を表示するためのボタンになっている。インターネットサーバ４のハードディスクには、調査相談フォームを表示するためのＨＴＭＬファイル（以下、調査相談フォームファイル）が保存されている。コマンドボタン５３がクリックされると、調査相談フォームファイルがユーザー端末２に送信されて表示されるようになっている。調査相談フォームファイルには、調査したい法令、判例、文献に関する入力欄が設けられており、入力欄を入力して確認ボタンをクリックすると、前述したのと同様、ストレージサーバ６に送られて保存されるようになっている。
【００７１】
本実施形態のシステムによれば、インターネットを利用した法律書式提供サービスにおいて、Ｑ＆Ａ方式の自動選択により所望の書式が手に入るので、使い勝手が良い。このため、専門的な知識の無い素人でも、容易に書式が手に入る。また、最初にジャンルを選択してからＱ＆Ａになるので、選択がスムーズにいく。ジャンルを選ばずにＱ＆Ａを行うと、最上位の質問はかなり抽象的になったり、質問の階層構造が複雑になったりするが、このような問題はない。
また、自動作成が行えるので、さらに容易に法律文書が作成できるようになっている。また、時間数の入力だけで自動的に見積書が作成されてユーザー端末に送信されるので、法律事務所の省力化に役立つ。また、見積書に相談正式申込用オブジェクトがあるので、ユーザーにとって相談の正式依頼が容易である。また、書式選択のプログラムの結果取得した書式ＩＤが相談フォームに自動入力されるようにすると、ユーザーにおいて書式ＩＤの入力の手間がかからず、好適である。
【００７２】
上述したように、本実施形態のインターネットによるトータルリーガルライブラリエイドシステムは、「書式・文例」、「法律文書作成ガイド」、「マニュアル」、「各種税額等簡易計算ソフト検索」等の各サービスをトータルに提供するものであるので、利用者にとっては、一つの会員登録を行うだけで、これらのサービスを受けられるので、極めて便利である。
尚、法令、判例、文献の検索サービスにつき、本実施形態では、外部のサーバ１０１，１０２，１０３にリンクさせて利用させる構成としたが、本システム内にサーバを設けるようにしてもよい。即ち、「書式・文例検索」のサービスを提供するためのライブラリサーバ５と同様に、各種法令の内容をデータベース化したサーバを設け、目次検索や事項検索が行える構成とする。「判例」や「文献」のサービスについても同様である。
【００７３】
ユーザー端末２に対してファイルを送信して表示する構成については、前述したｈｔｔｐとＣＧＩの構成に限らず、Ｊａｖａ（登録商標）アプレットのようなプログラムをユーザー端末２にダウンロードして実行する構成であってもよい。
また、上記説明では、各サーバ３〜６は、それぞれ別途のものとして説明されたが、二以上のサーバの機能を兼用するよう一つのサーバを構築することもあり、一つの統合型のサーバですべての機能を実現することも可能である。
上述した本実施形態の説明において、各種ファイルやオブジェクトが保存されている保存部は、上述した場所にあるものでなくともよい。システムがアクセスしてファイルやオブジェクトを読み出せるものであれば、どこでも良い。例えば、見積書作成プログラム（のファイル）の保存場所は、管理用コンピュータ８の保存部でなく、インターネットサーバ４の保存部でもよく、ストレージサーバ６の保存部でも良い。
【００７４】
次に、請求項７乃至１０に対応した第二の実施形態について説明する。
第二の実施形態のシステムは、見積書作成に関する部分が第一の実施形態と異なっている。まず、第二の実施形態では、見積書作成依頼用オブジェクトの構成が若干異なっている。図示はしていないが、本実施形態においても、会員トップには、文書作成相談ボタンが設けられている。文書作成相談ボタンには、文書作成相談フォームをインターネットサーバ４に送信させるようリンクが設定されている。インターネットサーバ４の保存部に保存された文書相談フォームのファイルや送信のためのプログラム等が、見積書作成依頼用オブジェクトを構成している。
【００７５】
本実施形態では、文書作成相談ボタンがクリックされた際、直ちに文書相談フォームをインターネットサーバ４がユーザー端末に２に送信するのではなく、相談対象である法律文書をユーザーに選択させるためのページ（対象文書選択ページ）がユーザー端末２に表示されるようになっている。図１６、図１７及び図１８は、対象文書選択ページの一例について示した概略図である。インターネットサーバ４の保存部には、各書式選択ページ用のＨＴＭＬファイルが保存されている。
【００７６】
図１６は、文書作成相談ボタンがクリックされると最初に表示されるページであり、対象文書のジャンル等を選択するためのページ（以下、第一選択ページ）を示している。インターネットサーバ４の保存部には、第一選択ページを表示するためのＨＴＭＬファイルが保存されており、文書選択ボタンには、このファイルをユーザー端末２に送信して第一選択ページを表示するようリンクが設定されている。
【００７７】
第一選択ページには、図１６に示すように、「ダウンロード書式」、「自動作成文書」、「書式ＩＤ入力」等のコマンドボタンが設けられている。図１６において、「書式ＩＤ入力」のコマンドボタンがクリックされると、図１４に示すのと同様の相談フォームをユーザー端末２に表示されるようになっている。
また、図１６において、「ダウンロード書式」のコマンドボタンがクリックされると、図１７に示す対象選択ページが表示されるようになっている。図１７に示す対象選択ページは、ダウンロードした法律書式の中から対象文書を選択するためのページ（以下、第二選択ページ）である。第二選択ページには、図１７に示すように、そのユーザー端末２に対してダウンロードされた法律書式のリストが表示されるようになっている。図１７に示すように、リストは、書式ＩＤと書式名称とを含んでいる。
【００７８】
図１７に示すリストを作成して表示するには、ユーザー端末２にダウンロードした法律書式の情報を保存しておく必要があるが、これは、サーバ側（インターネットサーバ４側）で行う場合と、ユーザー端末２側で行う場合とがある。
サーバ側で行う場合、書式ファイルのダウンロード送信を行うたびに、送信した書式ファイルの書式ＩＤ、書式名称、当該送信に際して認証したユーザーＩＤ等の情報をデータベース化して保存部に保存するよう構成されている。より具体的には、前述した図１０の「ダウンロード」のコマンドボタンがクリックされた際に起動する書式ファイル送信用のＣＧＩプログラムが、上記各書式情報とユーザーＩＤとから成る新たなレコードを、ライブラリサーバ６の保存部に保存されたデータベースファイルに追加するよう構成されている。
【００７９】
また、ユーザー端末２において保存を行う場合、書式ファイル送信用のＣＧＩプログラムは、書式ファイルを送信した際、上記各書式情報がユーザー端末２の保存部の所定の場所に送信するよう構成される。「所定の場所」とは、ダウンロードした書式ファイルの書式情報を保存するファイルを予め作成して保存部の所定のパスに保存しておき、ダウンロードのたびに情報を追加して更新する場合や、一回のダウンロードのたびに書式情報を保存したファイルを新たに作り保存部の所定のパスに保存する場合とがある。
【００８０】
例えばサーバ側で書式情報の保存を行う場合、第二選択ページを表示するＣＧＩプログラム（以下、第二選択ＣＧＩ−Ｐ）は、認証の際に記憶したユーザーＩＤを検索キーにしてライブラリサーバ６のデータベースファイルを検索し、そのユーザーＩＤがダウンロードした書式ファイルの書式情報を取得する。そして、取得した情報を図１７に示すようにリスト化し、ユーザー端末２に送信するよう第二選択ＣＧＩ−Ｐは構成される。また、ユーザー端末２に書式情報を保存する場合、第二選択ＣＧＩ−Ｐは、そのユーザー端末２の保存部のファイルを開いて書式情報を読み取り、図１７に示すようにリスト表示する。いずれの場合も、書式情報の保存は例えば一ヶ月のような一定の期間内であり、古い書式情報（例えば一ヶ月よりも前にダウンロードした書式ファイルの情報）は自動的に削除されるようにすることが好ましい。
【００８１】
図１７に示す第二選択ページは、リスト中から任意の一つを選んで法律相談の対象として情報送信できるよう構成されている。例えば、リストの各行がコマンドボタンとなっており、それがクリックされると、その法律書式の相談の申込が送信できるようプログラミングされる。この他、チェックボックスやラジオボタンなどのコントロールにより一つの法律書式を選択させても良い。
【００８２】
図１７において、一つの行が選択されると、当該行の法律書式について文書作成相談を申し込む文書作成相談フォームが表示されるようになっている。図１９は、第二の実施形態における文書作成相談フォームについて示す概略図である。
図１９に示す文書作成相談フォームは図１３に示すものとほぼ同様であるが、書式名称の欄６８が追加されている。図１７において、リスト中の任意の行が選択されると、図１９に示す文書作成相談フォームがユーザー端末２に表示されるようになっている。即ち、リストの各行には、文書作成相談フォームをインターネットサーバ４に送信させるＣＧＩプログラムの起動コマンドが埋め込まれるようになっている。このＣＧＩプログラムは、選択された行の法律書式の書式ＩＤや書式名称を文書作成相談フォームにくみ込んでユーザー端末２に表示するよう構成されている。
【００８３】
尚、書式名称については書式ＩＤが特定されればライブラリサーバ５から取得できるので、ダウンロードの際の保存はされないこともある。この場合、上記ＣＧＩプログラムは、選択された行の書式ＩＤを読みとってその書式ＩＤを検索キーにしてライブラリサーバ５の書式ＤＢＦ５２を検索し、当該書式ＩＤに対応した書式名称を取得して文書作成相談フォームに組み込むようプログラミングされる。
【００８４】
また、書式ファイルはユーザー端末２にダウンロードされず、ユーザー端末２がライブラリサーバ５上の書式ファイルを直接開いて利用することもある。この場合は、書式ファイルを開くたびに、上記書式情報やユーザーＩＤの保存を行うようプログラミングされる。尚、ある期間内に同一の書式ファイルが複数回開かれる場合もあるが、この場合は、二回目以降のファイルオープンについては書式情報等の新たな保存は行わないようにプログラミングされる。
【００８５】
図１９に示す文書作成相談フォームにおいても確認ボタン６７が設けられている。確認ボタン６７には、相談申込を受け付けるためのＣＧＩプログラム（以下、相談受付ＣＧＩ−Ｐ）の起動コマンドが埋め込まれている。相談受付ＣＧＩ−Ｐは、各入力欄６２〜６８に入力されたデータが送信されるようになっている。その際、その送信（相談申し込み）についてのＩＤ（相談ＩＤ）が自動的に付与され、入力された情報が相談ＩＤとともに相談データベースファイル（ＤＢＦ）６１の一つのレコードとしてストレージサーバ６のハードディスクに保存されるようになっている。
【００８６】
次に、図１６に示す第一選択ページにおいて、「自動作成文書」のコマンドボタンがクリックされた場合について説明する。
本実施形態のシステムは、自動作成した文書について相談を行う際に好適な構成を提供している。図１６に示す「自動作成文書」のコマンドボタンには、自動作成した文書から相談対象文書を選択させるページ（以下、第三選択ページ）を表示するＣＧＩプログラムの起動コマンドが埋め込まれている。
【００８７】
図１８は、第三選択ページの概略を示している。図１８に示すように、第三選択ページでは、一人のユーザーが自動作成プログラムを起動させることで自動作成した法律文書がリスト化されて表示されるようになっている。「一人のユーザー」とは、厳密には「一つのユーザーＩＤについて」という意味である。一人のユーザーが二以上のユーザーＩＤを持つ場合は、システム上は異なるユーザーとして扱われる。
【００８８】
前述した自動作成プログラムの更新モジュールにおいて指定された更新ファイル（更新された書式ファイル）の保存場所の情報は、システムのいずれかの保存部又はユーザー端末２の保存部に保存される。例えば、ユーザー端末２の保存部に保存される場合、本システムの利用に関する設定ファイルが設けられてユーザー端末２の保存部に保存される。この設定ファイルには、自動作成プログラムの実行結果である更新ファイルの保存場所のパスの情報が含まれる。第三選択ページを表示するＣＧＩプログラム（以下、第三選択ＣＧＩ−Ｐ）は、「自動作成文書」のコマンドボタンがクリックされると、設定ファイルを開いて更新ファイルの保存場所のパスの情報を読み取り、そのパス上にある全ての更新ファイルの名称を取得してリスト表示するようプログラミングされる。
【００８９】
また、更新ファイルがシステム上の保存部に保存される場合、更新ファイルは、例えばストレージサーバ６の保存部に保存される。ストレージサーバ６には、ユーザーＩＤ毎にパスが与えられ、ユーザーＩＤ毎に更新ファイルがそれぞれのパスに保存される。自動作成プログラムの更新モジュールは、認証の際に保持したユーザーＩＤのデータに従って保存のパスを設定し、更新用のコマンドボタン（図１２に示す「文書作成」のコマンドボタン３１６）がクリックされた際、そのパスに更新ファイルを保存するようプログラミングされる。尚、更新モジュールは、更新ファイルの保存場所として、ユーザー端末２の保存部かシステム上の保存部かをユーザー端末２において選択させるようプログラミングされることが好ましい。
【００９０】
第三選択ＣＧＩ−Ｐは、認証の際に保持したユーザーＩＤに従って、更新ファイルが保存されているパスにアクセスし、そのパスに保存されているすべての更新ファイルの名称を取得し、図１８に示すようなリスト表示を行うようプログラミングされている。
図１８に示す第三選択ページは、リスト中から任意の一つの更新ファイル（自動作成文書）を選んで法律相談の対象として情報送信できるよう構成されている。例えば、リストの各行がコマンドボタンとなっており、それがクリックされると、その自動作成文書の相談の申込が送信できるようプログラミングされる。この他、チェックボックスやラジオボタンなどのコントロールにより一つの更新ファイルを選択させても良い。いずれにしても、リストの各行には、当該業の自動作成文書について相談を申し込む相談フォームを表示するＣＧＩプログラム（以下、自動作成文書相談フォーム表示ＣＧＩ−Ｐ）の起動コマンドが設けられている。
【００９１】
図２０は、自動作成文書について相談を申し込む相談フォーム（以下、自動作成文書相談フォーム）について示す概略図である。図２０に示す自動作成文書相談フォームは、図１９に示すフォームとほぼ同じであるが、自動作成文書の内容（更新ファイルの内容）がはめ込まれて表示されるようになっている。図２０に示す自動作成文書相談フォームのファイルは、同様にＨＴＭＬで書かれているが、それには限定されない。自動作成文書相談フォームの自動作成文書の内容表示箇所は、いわゆるＯＬＥとなっており、更新ファイルがリンクして貼り付けられている。更新ファイルは、縮小表示されるようプロパティが設定されるが、ディスプレイ上で内容が読み取れる程度の大きさとされる。
【００９２】
自動作成文書相談フォームのファイルは、通常、インターネットサーバ４の保存部に保存されている。自動作成文書相談フォーム表示ＣＧＩ−Ｐは、認証の際に記憶したユーザーＩＤに従ってパスにアクセスし、選択された更新ファイルを取得した後、自動作成文書相談フォームのファイルにリンクさせてユーザー端末２に表示するようプログラミングされている。
【００９３】
図２０に示す自動作成文書相談フォームにおいても確認ボタン６７が設けられている。確認ボタン６７には、自動作成文書相談申込を受け付けるためのＣＧＩプログラム（以下、自動作成文書相談受付ＣＧＩ−Ｐ）の起動コマンドが埋め込まれている。確認ボタン６７がクリックされると、各入力欄６２〜６８に入力されたデータが送信されるようになっている。その際、自動作成文書相談受付ＣＧＩ−Ｐは、その送信（相談申し込み）についてのＩＤ（相談ＩＤ）を自動的に付与し、送信された情報を相談ＩＤとともに相談ＤＢＦ６１の新たな一つのレコードに記録するようプログラミングされれている。
【００９４】
この際、自動作成文書相談受付ＣＧＩ−Ｐは、自動作成文書相談フォームに貼り付けられた更新ファイルについても送信を行わせるようプログラミングされれている。具体的には、更新ファイルがユーザー端末２の保存部に保存されたものである場合、更新ファイルそのものを送信させ、ストレージサーバ６の所定の保存部に保存される。上述した相談ＤＢＦ６１に追加するレコードには、ストレージサーバ６において更新ファイルを保存するパスの情報と更新ファイルの名称とが記録される。また、更新ファイルがシステム上の保存部例えばライブラリサーバ６の保存部にある場合、文書相談受付ＣＧＩ−Ｐは、ユーザー端末２から、そのライブラリサーバ６の保存部のパスの情報と更新ファイルの名称とを送信してもらい、同様にレコードに記録する。
【００９５】
本実施形態においても、ストレージサーバ６に保存された相談申込については、見積書作成プログラムにより一律に見積書が作成されて送信されるようになっている。これらの構成は、前述した第一の実施形態と同様であるが、文書相談申込における時間入力用フォームの構成が若干異なっている。図２１は、第二の実施形態における文書相談申込の場合の時間入力用フォームの一例を示した図である。
【００９６】
図２１に示す文書相談申込の場合の時間入力用フォームは、図１４に示すものとほぼ同様であるが、相談の対象である自動作成文書（更新ファイル）の内容が貼り付けられる箇所（以下、更新ファイルリンク欄）が設けられている点が異なっている。時間入力用フォームにおいても、更新ファイルリンク欄８６はＯＬＥとなっており、ストレージサーバ６の所定のパスに保存された更新ファイルがリンクされて表示されるようになっている。見積書作成プログラムのフォーム表示モジュールは、時間入力用フォームを開く際、リンク先であるストレージサーバ６の所定のパスから更新ファイルを取得して開き、図２１に示す位置にはめ込むようになっている。
【００９７】
図２１に示す時間入力用フォームにおいても、弁護士等の担当者は、相談内容、書式名称等を参照しながら、時間入力欄８１に予想所要時間を入力する。この際、更新ファイルリンク欄８６に表示される自動作成文書を見ながら、予想所要時間を決定することができる。
図２１に示す場合の他、更新ファイルを表示するコマンドボタンを時間入力用フォームに設けても良い。このコマンドボタンは、「相談対象文書表示」のような表記とし、同様に、ストレージサーバ６の所定のパスから更新ファイルを取得して貼り付けるプログラムの起動コマンドが埋め込まれる。
【００９８】
この第二の実施形態によれば、自動作成文書について本システムを利用して相談申込が行える上、相談申込の際、任意の更新ファイルを選択して送信できるので、使い勝手が良い。また、見積書作成においても、更新ファイルの内容を見ながら時間入力ができるので、的確な時間数を入力することができる。即ち、自動作成文書とはいっても、各入力欄がすべて入力されていることは少なく、空欄がある。どのような空欄がどの程度あるかによって、その文書についての相談に要する時間が変わってくる。本実施形態によれば、空欄の量や空欄の質（補充すべき文書情報の質）を時間入力用フォーム上で確認できるので、容易に時間数を判断して入力することができる。
【００９９】
上述した第二の実施形態において、文書相談申込の際にユーザー端末２からの更新ファイルが送信される場合、更新ファイルは、文書相談フォーム内のデータ送信とは別に行われる場合もある。例えば、更新ファイルは送信せずに相談者氏名や書式ＩＤ等のデータのみを最初に送っておき、更新ファイルは電子メールの添付ファイルの形で送ったりする場合があり得る。但し、文書相談フォームに貼り付けられた形で送信すると、一回の操作ですべて送信できるので、便利である。
【０１００】
この第二の実施形態においても、上記のように時間入力用フォームにおいて時間数が入力されると、見積書が自動作成され、申し込んできたユーザーに送信される。見積書には、同様に承諾ボタン８５が設けられており、承諾ボタン８５をクリックすると、正式な相談依頼となる。これらの構成は、前述した第一の実施形態と同様なので説明は省略する。  
【０１０１】
この第二の実施形態においても、ユーザー端末２に対するデータ送信のための構成については、前述したｈｔｔｐとＣＧＩの構成に限らず、Ｊａｖａアプレットのようなプログラムをユーザー端末２にダウンロードして実行する構成であってもよい。
また、各サーバ３〜６については、二以上のサーバの機能を兼用するよう一つのサーバを構築することもあり、一つの統合型のサーバですべての機能を実現することも可能である。上述した本実施形態の説明において、各種ファイルやオブジェクトが保存されている保存部は、上述した場所にあるものでなくともよい。システムがアクセスしてファイルやオブジェクトを読み出せるものであれば、どこでも良い。
【図面の簡単な説明】
【０１０２】
【図１】本願発明の実施形態に係るインターネットによるトータルリーガルライブラリエイドシステムの概略構成を示す図である。
【図２】実施形態のインターネットによるトータルリーガルライブラリエイドシステムが提供するウェッブサイトのトップページの例について示した概略図である。
【図３】会員専用サイトのトップページの一例について示した概略図である。
【図４】会員専用サイトのトップページの一例について示した概略図である。
【図５】書式目次ページの一例を示した概略図である。
【図６】書式事項入力ページの一例について示した概略図である。
【図７】書式ジャンル選択ページの一例を示す図である。
【図８】質問ページの一例を示す概略図である。
【図９】さらに下層の質問を表示する質問ページの一例を示している。
【図１０】図８及び図９に一例を示した「売買契約」のジャンルの質問の階層構造の一部を示す概略図である。
【図１１】自動作成用オブジェクトを読み出す際に表示される質問ページの一例を示す概略図である。
【図１２】自動作成用オブジェクトの一例を示す図である。
【図１３】文書作成相談フォームの一例について示した概略図である。
【図１４】見積書作成プログラムの表示モジュールによって表示された時間入力用フォームの一例を示した図である。
【図１５】見積書作成プログラムにより作成された見積書の一例を示す概略図である。
【図１６】対象文書選択ページの一例について示した概略図である。
【図１７】対象文書選択ページの一例について示した概略図である。
【図１８】対象文書選択ページの一例について示した概略図である。
【図１９】第二の実施形態における文書作成相談フォームについて示す概略図である。
【図２０】自動作成文書について相談を申し込む相談フォームの概略図である。
【図２１】第二の実施形態における文書相談申込の場合の時間入力用フォームの一例を示した図である。
【符号の説明】
【０１０３】
１  インターネット
２  ユーザー端末
３  認証サーバ
４  インターネットサーバ
５  ライブラリサーバ
６  ストレージサーバ
７  担当者端末
【図１】
2008033969.tif 000003
【図２】
2008033969.tif 000004
【図３】
2008033969.tif 000005
【図４】
2008033969.tif 000006
【図５】
2008033969.tif 000007
【図６】
2008033969.tif 000008
【図７】
2008033969.tif 000009
【図８】
2008033969.tif 000010
【図９】
2008033969.tif 000011
【図１０】
2008033969.tif 000012
【図１１】
2008033969.tif 000013
【図１２】
2008033969.tif 000014
【図１３】
2008033969.tif 000015
【図１４】
2008033969.tif 000016
【図１５】
2008033969.tif 000017
【図１６】
2008033969.tif 000018
【図１７】
2008033969.tif 000019
【図１８】
2008033969.tif 000020
【図１９】
2008033969.tif 000021
【図２０】
2008033969.tif 000022
【図２１】
2008033969.tif 000023